(57)【特許請求の範囲】
【請求項１】
通信ネットワーク上の情報提供サイトの通信アドレス情報をこれに関連する所定の電話番号に対応付けて格納するサイト情報記憶手段と、
通話処理の終了後に、該通話に使用した電話番号が上記サイト情報記憶手段に格納された電話番号と一致するか否かを判定する判定手段と、
上記判定手段によって上記両電話番号が一致すると判定されると、該電話番号に関連する情報提供サイトの通信アドレス情報を読み出して通信接続するアクセス手段と
を備えた電話装置。
【請求項２】
判定手段によって電話番号が一致すると判定されると、サイト情報記憶手段から読み出した電話番号、該電話番号に関連する情報提供サイト名、及び該サイトの通信アドレス情報を含むサイトメニューを作成・表示するメニュー作成・表示手段を備え、
アクセス手段は、上記サイトメニューに従って選択された情報提供サイトの通信アドレスに通信接続することを特徴とする請求項１記載の電話装置。
【請求項３】
通話処理に使用する操作キーを含む設定入力手段を介して外部からサイト情報記憶手段の記憶内容を変更するサイト情報変更手段を備えたことを特徴とする請求項１又は請求項２記載の電話装置。
【請求項４】
請求項１から請求項３のうちのいずれか１項記載の電話装置と、通信ネットワークを介して上記電話装置との間で情報を送受する通信手段を有したサーバ装置とからなるシステムであって、
上記サーバ装置は、上記通信ネットワーク上の情報提供サイトに通信接続して電話番号と該電話番号に関連する情報提供サイトの通信アドレス情報とからなるサイト情報を生成するとともに、上記電話装置から更新要求があると上記通信ネットワークを介して上記サイト情報を送信し、上記サイト情報記憶手段の内容を更新するサイト情報更新手段を備えたことを特徴とする情報提供サイト接続システム。
【請求項５】
電話装置は、外部から設定された所定の期間ごとにサーバ装置に通信接続して更新要求を送信する定期更新手段を備えたことを特徴とする請求項４記載の情報提供サイト接続システム。
【請求項６】
通信ネットワーク上の情報提供サイトの通信アドレス情報をこれに関連する所定の電話番号に対応付けて格納するサイト情報記憶手段を有する電話装置の情報提供サイト接続方法であって、
通話処理の終了後に、該通話に使用した電話番号が上記サイト情報記憶手段に格納された電話番号と一致するか否かを判定する判定ステップと、
上記判定ステップにて上記両電話番号が一致すると判定されると、該電話番号に関連する情報提供サイトの通信アドレス情報を読み出して通信接続するアクセスステップと
を備えたことを特徴とする情報提供サイト接続方法。
【請求項７】
判定ステップにて電話番号が一致すると判定されると、サイト情報記憶手段から読み出した電話番号、該電話番号に関連する情報提供サイト名、及び該サイトの通信アドレス情報を含むサイトメニューを作成・表示するメニュー作成・表示ステップを備え、
アクセスステップにて、上記メニュー作成・表示ステップで表示したサイトメニューに従って選択された情報提供サイトの通信アドレスに通信接続することを特徴とする請求項６記載の情報提供サイト接続方法。
【発明の詳細な説明】
【０００１】
【発明の属する技術分野】
この発明はインターネットなどの通信ネットワークを介して各種情報を送受信する機能を有する電話装置に係り、特に所定の電話番号にて通話すると該電話番号で特定される上記通信ネットワーク上の情報提供サイトとの通信接続を行って情報の提供を受ける電話装置及びこれを用いた情報提供サイト接続システム並びに情報サイト接続提供方法に関するものである。
【０００２】
【従来の技術】
近年のＷＷＷ（Ｗｏｒｌｄ  Ｗｉｄｅ  Ｗｅｂ）などのコンピュータネットワークの普及によって、ユーザがインターネット上で所望の情報を検索し、これの提供を受けるシステムが多く提案されている。
例えば、携帯電話に代表されるような、個人で使用する電話装置にインターネットなどの通信ネットワークに通信接続する機能を持たせて、ユーザに各種情報を提供するシステムが特開平１０−２７１２２３号公報に開示されている。
【０００３】
図５は特開平１０−２７１２２３号公報に開示された従来の電話装置を利用した情報提供サイト接続システムの構成を概略的に示す図である。図において、１００は本システムのユーザが所有する携帯電話端末で、特にＨＴＭＬ（ＨｙｐｅｒＴｅｘｔ  Ｍａｒｋｕｐ  Ｌａｎｇｕａｇｅ）を読むためのブラウザソフトウェアを有していなくともよい。１０１は携帯電話端末１００の通信を中継するセルラ基地局であって、通常の電話回線を中継するとともに、携帯電話端末１００とゲートウェイサーバ１０２との間の通信を中継する。１０２はユーザが要求する情報にアクセスするためのウェブアプリケーション１０５を探索するゲートウェイサーバで、携帯電話端末１００からの信号を解析してＨＴＴＰサーバ１０４と通信接続し、ユーザが所望する情報を抽出・提供する。１０３はゲートウェイサーバ１０２や各ＨＴＴＰサーバ１０４間に介在する通信ネットワークであって、偏在する公衆のインターネットネットワークやインターネットを使用するイントラネットなどからなる。１０４は通信ネットワーク１０３と接続するＨＴＴＰサーバで、ＨＴＭＬファイルなどの文書を転送するためのＨＴＴＰ（ＨｙｐｅｒＴｅｘｔ  Ｔｒａｎｓｆｅｒ  Ｐｒｏｔｏｃｏｌ）にて情報を交換する。１０５はＨＴＴＰサーバ１０４が格納するウェブアプリケーションであって、ＷＷＷにて情報を配信するためのソフトウェアである。
【０００４】
次に動作について説明する。
先ず、携帯電話端末１００を用いて、ユーザは所望のＷｅｂ情報を取得するのに必要なウェブアプリケーション１０５のＵＲＬ（Ｕｎｉｆｏｒｍ  Ｒｅｓｏｕｒｃｅ  Ｌｏｃａｔｏｒ）などの情報を音声信号やＤＴＭＦ（二重トーン多周波数）信号としてゲートウェイサーバ１０２に送信する。
【０００５】
携帯電話端末１００から送信された上記情報は、セルラ基地局１０１を介してゲートウェイサーバ１０２に受信される。ゲートウェイサーバ１０２では、音声信号やＤＴＭＦ（二重トーン多周波数）信号からなる上記情報をＨＴＴＰにプロトコル変換して、ユーザが所望するＷｅｂ情報を取得するのに必要なウェブアプリケーション１０５のＵＲＬを抽出する。続いて、ゲートウェイサーバ１０２は上記ＵＲＬに基づいて通信ネットワーク１０３を介してＨＴＴＰサーバ１０４を探索し、該当するウェブアプリケーション１０５にアクセスする。
【０００６】
ゲートウェイサーバ１０２は、ウェブアプリケーション１０５からユーザが所望する情報を取得すると、該情報を適当なエンドユーザ関連プロトコル（即ち、携帯電話端末１００にて読み取り可能な音声やテキストファイル、又はこれらの組み合わせ）に変換して携帯電話端末１００に送信する。
これによって、ユーザは携帯電話端末１００を介して所望のＷｅｂ情報を得ることができる。
【０００７】
【発明が解決しようとする課題】
従来の電話装置を利用した情報提供サイト接続システムは以上のように構成されているので、通常の通話処理を行う電話機としての機能と通信ネットワークを介して情報を収集する携帯情報端末としての機能とが独立に働くことから、通話を行った相手に係る情報をさらに得ようとした場合、その都度、上記携帯情報端末としての機能を起動させなければならず、利便性に欠けるとともに迅速に情報を取得することができないという課題があった。
【０００８】
上記課題を具体的に説明する。
先ず、ユーザが携帯電話端末を用いて迅速に情報を必要とする状況として、例えば周囲に固定電話がないような屋外において急病人が発生し、携帯電話端末を用いて１１９番通報したが当該急病人に対する応急処置の方法がわからないといった場合が考えられる。
このようなとき、従来の情報提供システムでは、１１９番通報後にユーザが応急処置に係る情報を得るために救急病院などの情報提供サイトを探索しアクセスする操作を行わなければならず、処置が遅れる可能性があるという不具合があった。
【０００９】
この発明は上記のような課題を解決するためになされたもので、特定の電話番号に対しての通話終了後に自動的に当該電話番号に関連する情報提供サイトに対してアクセスするか、若しくは当該サイトにアクセスするためのメニュー画面を表示することで、高度なハードウェア資源を要求することなく、迅速にユーザが所望する情報を提供することができる電話装置及びこれを用いた情報提供サイト接続システム並びに情報サイト接続提供方法を得ることを目的とする。
【００１０】
【課題を解決するための手段】
この発明に係る電話装置は、通信ネットワーク上の情報提供サイトの通信アドレス情報をこれに関連する所定の電話番号に対応付けて格納するサイト情報記憶手段と、通話処理の終了後に、該通話に使用した電話番号がサイト情報記憶手段に格納された電話番号と一致するか否かを判定する判定手段と、判定手段によって両電話番号が一致すると判定されると、該電話番号に関連する情報提供サイトの通信アドレス情報を読み出して通信接続するアクセス手段とを備えるものである。
【００１１】
この発明に係る電話装置は、判定手段によって電話番号が一致すると判定されると、サイト情報記憶手段から読み出した電話番号、該電話番号に関連する情報提供サイト名及び該サイトの通信アドレス情報を含むサイトメニューを作成・表示するメニュー作成・表示手段を備え、アクセス手段がサイトメニューに従って選択された情報提供サイトの通信アドレスに通信接続するものである。
【００１２】
この発明に係る電話装置は、通話処理に使用する操作キーを含む設定入力手段を介して外部からサイト情報記憶手段の記憶内容を変更するサイト情報変更手段を備えるものである。
【００１３】
この発明に係る情報提供サイト接続システムは、上記電話装置と、通信ネットワークを介して電話装置との間で情報を送受する通信手段を有したサーバ装置とからなるシステムであって、サーバ装置が、通信ネットワーク上の情報提供サイトに通信接続して電話番号と該電話番号に関連する情報提供サイトの通信アドレス情報とからなるサイト情報を生成するとともに、電話装置から更新要求があると通信ネットワークを介してサイト情報を送信し、サイト情報記憶手段の内容を更新するサイト情報更新手段を備えるものである。
【００１４】
この発明に係る情報提供サイト接続システムは、外部から設定された所定の期間ごとにサーバ装置に通信接続して更新要求を送信する定期更新手段を電話装置が備えるものである。
【００１５】
この発明に係る情報提供サイト接続方法は、通信ネットワーク上の情報提供サイトの通信アドレス情報をこれに関連する所定の電話番号に対応付けて格納するサイト情報記憶手段を有する電話装置の情報提供サイト接続方法であって、通話処理の終了後に、該通話に使用した電話番号がサイト情報記憶手段に格納された電話番号と一致するか否かを判定する判定ステップと、判定ステップにて両電話番号が一致すると判定されると、該電話番号に関連する情報提供サイトの通信アドレス情報を読み出して通信接続するアクセスステップとを備えるものである。
【００１６】
この発明に係る情報提供サイト接続方法は、判定ステップにて電話番号が一致すると判定されると、サイト情報記憶手段から読み出した電話番号、該電話番号に関連する情報提供サイト名、及び該サイトの通信アドレス情報を含むサイトメニューを作成・表示するメニュー作成・表示ステップを備え、アクセスステップにてメニュー作成・表示ステップで表示したサイトメニューに従って選択された情報提供サイトの通信アドレスに通信接続するものである。
【００１７】
【発明の実施の形態】
以下、この発明の実施の一形態を説明する。
実施の形態１．
図１はこの発明の実施の形態１による電話装置の構成を示す図である。図において、１は実施の形態１による電話装置の制御部であって、通話処理を行う電話機としての動作を制御するソフトウェアを実行するとともに、通話処理の終了後に該通話に使用した電話番号がフラッシュメモリ２に格納された電話番号と一致するか否かを判定する判定手段としての機能や、両電話番号が一致すると判定されると該電話番号に関連する情報提供サイトのＵＲＬ情報（通信アドレス）を読み出して通信接続するアクセス手段としての機能を実現させるソフトウェアを実行する。２は制御部１とデータバスなどを介して接続するフラッシュメモリ（サイト情報記憶手段）で、制御部１が実行する上記ソフトウェアや当該電話装置内の各構成要素による処理に要する諸変数の初期設定値、及び特定の電話番号と情報提供サイトのＵＲＬ情報とを関連付ける関連情報（サイト情報）を格納する。この関連情報は、特定の電話番号と情報提供サイトのＵＲＬ情報との対応テーブルとしての構成を有しており、電話番号、ＵＲＬのどちらをキーワードとしても対応する情報を検索することができる。実施の形態１による電話装置の起動時に、このフラッシュメモリ２からデータバス９を通じて制御部１が上記ソフトウェアと各構成要素による処理に要する諸変数の初期設定値をロードし、これらに基づいて動作する。
【００１８】
３は制御部１などの各構成要素とデータバスなどを介して接続するＲＡＭであって、制御部１などの各構成要素の処理動作中に発生したデータを一時的に格納する。４は実施の形態１による電話装置が具備する通信制御部（アクセス手段）で、制御部１による制御の下に、他の電話装置との通話処理の他に、通信ネットワークを介した情報提供サイトなどとの通信処理を制御する。また、通信制御部４としては、実施の形態１による電話装置が携帯電話などである場合、アンテナなどの通信処理に係るハードウェア構成も含むものとする。５はユーザによる電話番号の入力・設定や発信・受信などの動作決定に使用するユーザＩ／Ｆ（設定入力手段）であって、入力キーやタッチパネル及びこれらの操作を電気信号に変換するＩ／Ｆ回路から構成される。６は通話処理に使用されるオーディオＩ／Ｆで、スピーカやマイクロフォン及びこれらの駆動回路並びに音声信号処理回路から構成される。７は通話処理における電話番号や情報提供サイトからの情報を表示するビデオＩ／Ｆであって、ＬＣＤなどの表示装置やカメラなどの撮像装置及びこれらの制御回路並びに映像信号処理回路から構成される。８は制御部１などの動作クロックを計数するタイマで、実施の形態１による電話装置の計時手段として機能する。９は実施の形態１による電話装置内の各構成要素間に介在するデータバスであって、各構成要素による処理動作に必要なデータや処理動作中に発生したデータを伝搬する。
【００１９】
図２はこの発明の実施の形態１による情報提供サイト接続システムの構成を概略的に示す図である。図において、１０ａは図１に示した電話装置の各構成要素を具備する電話機（電話装置）で、実施の形態１による電話装置を固定電話機として構成した場合に相当する。１０ｂは図１に示した電話装置の各構成要素を具備する携帯電話端末（電話装置）であって、実施の形態１による電話装置をユーザが常時携帯するような携帯電話機として構成した場合に相当する。１１は携帯電話端末１０ｂの通信を中継する基地局であって、通常の電話回線を中継するとともに、携帯電話端末１０ｂとサーバ１３との間の通信を中継する。１２は電話装置１０ａ，１０ｂ、サーバ１３や情報提供サイトを管理する不図示の他のサーバ間に介在する通信ネットワークであって、電話装置１０ａ，１０ｂが使用する公衆電話回線に加えて、インターネットやイントラネットなどの通信インフラ、及びこれらと電話装置１０ａ，１０ｂとを通信接続させるプロバイダのサーバ装置などの通信中継装置を含むものとする。１３は通信ネットワーク１２を介して電話装置１０ａ，１０ｂと通信するサーバ（サイト情報更新手段、サーバ装置）で、特定の電話番号と情報提供サイトのＵＲＬ情報とを関連付ける関連情報を定期的に更新するとともに、電話装置１０ａ，１０ｂからの更新要求があると上記関連情報を送信して電話装置１０ａ，１０ｂ内のフラッシュメモリ２に格納した関連情報を更新する機能を有する。このサーバ１３は、通信ネットワーク１２を介して電話装置１０ａ，１０ｂと通信する手段を設けたコンピュータ装置から構成され、上述した機能は当該コンピュータ装置のＣＰＵに実行させるソフトウェアに具備させることで実現することができる。
【００２０】
次に動作について説明する。
図３は実施の形態１による電話装置の動作を示すフロー図であり、このフロー図に沿って情報提供サイトに対する通信接続動作を説明する。
先ず、電話装置１０ａ，１０ｂで通話を開始（ステップＳＴ１）すると、制御部１は、上記ソフトウェアの処理フローに従って通話先の電話番号をフラッシュメモリ２に書き込んで記憶する（ステップＳＴ２）。
通話が終了する（ステップＳＴ３）と、制御部１は、上記ソフトウェアの処理フローに従ってフラッシュメモリ２に書き込んだ電話番号が、別ファイルとして記憶している関連情報中に含まれる特定の電話番号に一致するか否かを判定する（ステップＳＴ４、判定ステップ）。このとき、関連情報中に含まれる特定の電話番号と一致しなかった場合、制御部１による処理は、他の電話装置からの着信を待つ待ち受け状態に移行する（ステップＳＴ９）。
【００２１】
一方、関連情報中に含まれる特定の電話番号と一致する場合、制御部１は、上記ソフトウェアの処理フローに従ってフラッシュメモリ２から上記電話番号に対応する関連情報を読み出し、データバス９を介してフラッシュメモリ２に格納されている当該電話番号とこれに関連する情報提供サイトのＵＲＬ情報とからなる関連情報をＲＡＭ３にロードする（ステップＳＴ５）。
【００２２】
ＲＡＭ３に関連情報がロードされると、上記ソフトウェアの処理フローに従って、制御部１の制御の下に、通信制御部４がＲＡＭ３から関連情報を読み出すとともに、通信ネットワーク１２（図示の例では、通信ネットワーク１２はインターネットであって、情報提供サイトはＷＷＷにおけるＷｅｂサイトに相当する）を介して上記関連情報中のＵＲＬ情報に対応する情報提供サイトとの間の通信接続を確立する（ステップＳＴ６）。ステップＳＴ５からステップＳＴ６までの動作がアクセスステップに相当する。
【００２３】
ここでは、電話装置１０ａ，１０ｂがブラウザ機能を有することを前提とするので、電話装置１０ａ，１０ｂの不図示の表示装置には通信接続を確立した上記情報提供サイトからの例えばＨＴＭＬやＪＡＶＡ（登録商標）などで記述された情報提供画面がビデオＩ／Ｆ７によって表示されるとともに、上記情報提供サイトから音声データが提供されていればオーディオＩ／Ｆ６が制御するスピーカから出力される。これによって、話者であるユーザは、通話を行った電話番号に関連する情報提供サイトから所望の情報を適宜取得する（ステップＳＴ７）。
具体例として、屋外において急病人が発生し、携帯電話端末１０ｂを用いて１１９番通報したが当該急病人に対する応急処置の方法がわからないといった場合、従来の情報提供システムでは、１１９番通報後にユーザが応急処置に係る情報を得るために救急病院などの情報提供サイトを探索しアクセスする操作を行わなければならず、処置が遅れる可能性があった。これに対して、この実施の形態１による電話装置では、救急病院やその他救急機関が管理して各種応急処置の方法を開示する情報提供サイトを、特定の電話番号である１１９番に対応付けて関連情報として保持しておくことで、１１９番通報後に自動的に上記救急病院やその他救急機関が管理する情報提供サイトに通信接続され、応急処置に係る情報を取得することができる。
【００２４】
ユーザは、所望の情報の取得を完了すると、ユーザＩ／Ｆ５を介して通信接続を切断（ステップＳＴ８）し、他の電話装置からの着信を待つ待ち受け状態に移行する（ステップＳＴ９）。
【００２５】
また、特定の電話番号とこれに関連する情報提供サイトのＵＲＬ情報とからなる関連情報を、不図示の表示装置に表示してユーザＩ／Ｆ５を通じて書き換えたり、新たに追加することを可能としている。
具体的に説明すると、ユーザがユーザＩ／Ｆ５を通じて制御部１が実行する上記ソフトウェアの関連情報の更新モードを起動させると、制御部１がフラッシュメモリ２から該当する関連情報を読み出すとともに、ビデオＩ／Ｆ７を介して不図示の表示装置に表示する。ユーザは表示画面を参照しながら、ユーザＩ／Ｆ５を通じて関連情報の書き換え情報や追加情報を入力する。この更新モードにおいて、ユーザＩ／Ｆ５で入力された情報は、制御部１によって実行される上記ソフトウェアを構成するフラッシュメモリ２の記憶内容を書き換えるプログラムが用いる変更データとして取得される。これによって、上記書き換えプログラムを実行する制御部１によって関連情報の更新が行われる。
このように、制御部１が実行する上記ソフトウェアを関連情報の更新モードとすることで、制御部１をサイト情報変更手段として動作させることができる。
【００２６】
さらに、電話装置１０ａ，１０ｂは、通信ネットワーク１２を介してサーバ１３から関連情報をダウンロードする機能を持っている。
具体例を説明する。先ず、ユーザは電話装置１０ａ，１０ｂを用いて関連情報を生成・提供を行うサーバ１３にアクセスして関連情報の更新要求情報を送信する。
このサーバ１３は、通信ネットワーク１２上にある情報提供サイトに定期的にアクセスするか、若しくは、情報提供サイト側からサーバ１３に自己のＵＲＬやこれに関連する電話番号をアップロードすることで、関連情報の生成に係る情報を取得している。
【００２７】
サーバ１３は、電話装置１０ａ，１０ｂからの更新要求を受けると、自己が保持する関連情報のテーブルを電話装置１０ａ，１０ｂの不図示の表示装置に表示する表示データを送信する。電話装置１０ａ，１０ｂでは、ユーザがユーザＩ／Ｆ５を用いて上記表示データによる関連情報の表示画面に沿って適当な関連情報を選択・確定する。このとき、上記選択情報は、通信制御部４を介して直ちにサーバ１３に送信される。サーバ１３では、上記選択情報に対応する関連情報を電話装置１０ａ，１０ｂに送信することで、ユーザが任意のタイミングで通信ネットワーク１２を通して電話装置１０ａ，１０ｂ内のフラッシュメモリ２の記憶内容を更新することができる。
また、電話装置１０ａ，１０ｂが送信する更新要求に前回の更新日時を示す情報を含ませることで、該更新情報からサーバ１３が電話装置１０ａ，１０ｂの更新日時を判別し、前回の更新日時以降に作成した関連情報を送信して、ユーザによる選択処理を行うことなく、電話装置１０ａ，１０ｂ内のフラッシュメモリ２の記憶内容を更新するようにしてもよい。
【００２８】
ここで、フラッシュメモリ２内のファイルを、例えば更新データファイル、既存データファイルというよう分類しておき、電話装置１０ａ，１０ｂが関連情報をダウンロードする場合、ダウンロードした新たな関連情報は既存の関連情報とは異なるファイルとしてフラッシュメモリ２に記憶する。これによって、ユーザが新たに追加した関連情報によって既存の関連情報が影響を受けることがない。この場合、ユーザＩ／Ｆ５などを用いて上記両ファイルをリンクさせる機能を制御部１が実行する上記ソフトウェアに追加しておくことで、上述した既存の関連情報と同様に使用することができる。
【００２９】
また、電話装置１０ａ，１０ｂに定期的にサーバ１３にアクセスする機能を持たせても良い。具体的には、制御部１が実行する上記ソフトウェアにサーバ１３にアクセスして更新要求情報を送信する所定の期間を設定しておく（該値は、フラッシュメモリ２内に処理に要する諸変数の初期設定値として格納される）。これによって、上記ソフトウェアを実行する制御部１が定期的にサーバ装置に更新要求を送信する定期更新手段として機能する。その動作としては、電話装置１０ａ，１０ｂ内のタイマ８が一定間隔を常時測定しており、上記所定の期間ごとに制御部１にその旨を知らせる信号を送信する。この信号を受けると、制御部１は通信制御部４を通して自動的にサーバ１３に通信接続し、関連情報を更新する旨の更新要求情報を送信する。該更新要求を受けたサーバ１３が関連情報を電話装置１０ａ，１０ｂに送信することで、制御部１が実行する上記ソフトウェアに含まれるブートプログラムによってフラッシュメモリ２の記憶内容の書き換えが行われる。
さらに、サーバ１３にアクセスする所定の期間は、制御部１が実行する上記ソフトウェアに、ユーザＩ／Ｆ５を用いて外部から設定する機能を追加しておく。これにより、ユーザは、所望のタイミングで自動的に関連情報を更新することができる。
【００３０】
以上のように、この実施の形態１によれば、情報提供サイトのＵＲＬ情報をこれに関連する所定の電話番号に対応付けて格納しておき、通話処理の終了後に、該通話に使用した電話番号に関連する情報提供サイトに通信接続するので、ユーザが所望する情報を迅速に提供することができる。また、通話処理が終了するのを待って、情報提供サイトに対する通信接続を起動するようにしたことから、例えば通話処理と情報提供サイトに対する通信接続処理とを同時に行うために必要な高度なソフトウェア（例えば、インターネット電話ソフトウェアなど）を必要とせず、このソフトウェアを動作させるための高度なハードウェア資源を要することがない。これによって、本願発明を既存の電話装置（特に、携帯性などの問題から大がかりなハードウェア資源を追加することができない携帯電話など）に適用する際に要するソフトウェアやハードウェア資源の増加を抑制することができる。
さらに、通話処理が終了するのを待って、情報提供サイトに対する通信接続を起動するようにしたことで、ユーザは通常の通話処理の延長として容易に本願発明によるサービスを受けることができることから、情報収集における利便性を向上させることができる。
【００３１】
実施の形態２．
上記実施の形態１では、通話処理が終了するのを待って情報提供サイトに対する通信接続を自動的に起動するようにした例を示したが、この実施の形態２は通話処理が終了すると該通話処理に利用した電話番号に関連する情報提供サイトを一覧としたテーブルを表示し、ユーザが該テーブルに沿って通信接続する情報提供サイトを適宜選択することを可能としたものである。
【００３２】
この実施の形態２による情報提供サイト接続システムや電話装置の基本的な構成は、上記実施の形態１と同様であるが、上述したように制御部１が実行するソフトウェアの機能が上記実施の形態１と異なる。ここでは、このような上記実施の形態１との相違点について主に説明し、他の同様な部分についての重複する説明は省略する。
【００３３】
次に動作について説明する。
図４はこの発明の実施の形態２による電話装置の動作を示すフロー図である。先ず、電話装置１０ａ，１０ｂにおいて通話が開始される（ステップＳＴ１ａ）と、上記ソフトウェアを実行する制御部１によって通話先の電話番号がフラッシュメモリ２に書き込まれる（ステップＳＴ２ａ）。
このあと、通話が終了する（ステップＳＴ３ａ）と、制御部１は上記電話番号が特定の電話番号かを判定（ステップＳＴ４ａ、判定ステップ）し、該当しなかった場合はそのまま待ち受け状態に移行する（ステップＳＴ８ａ）。
【００３４】
一方、該当する電話番号がある場合は、制御部１がフラッシュメモリ２に格納されている電話番号と関連サイトとの関連情報をロード（ステップＳＴ５ａ）し、関連する上記サイトに通信接続するためのメニュー画面データ（サイトメニュー）を作成する。
具体的には、ＵＲＬなどの通信アドレスにリンクしてサイト名やその概要を説明する情報を表示するメニュー画面データ（ユーザがサイト名を選択することで、電話装置１０ａ，１０ｂと該サイトとの通信接続処理に移行させる）を、フラッシュメモリ２の記憶内容に基づいて制御部１が作成する。
メニュー画面データを作成すると、制御部１は、直ちに通信制御部４を介して電話装置１０ａ，１０ｂに送信し、その不図示の表示装置に表示させる（ステップＳＴ６ａ）。
これらステップＳＴ５ａ、ステップＳＴ６ａの動作がメニュー作成・表示ステップに相当する。
【００３５】
ユーザは、ユーザＩ／Ｆ５を用いて上記メニュー画面に沿って所望のサイトを選択すると、直ちに該サイトとの通信接続が確立され、所望の情報を収集することが可能となる（ステップＳＴ７ａ）。
【００３６】
以上のように、この実施の形態２によれば、通話処理を行った電話番号に関連する情報提供サイトの一覧であって、所望のサイトを選択すると直ちに通信接続するメニュー画面を表示するので、上記実施の形態１と同様の効果が得られるとともに、ユーザによる情報提供サイトの選択の自由度を向上させることができることから、よりユーザの希望に合致した情報の提供をすることができる。
【００３７】
なお、本願発明における電話装置の概念は、図２に示した固定電話１０ａや携帯電話端末１０ｂに限定されるものではなく、例えば携帯電話端末１０ｂ自体にブラウザ機能がなくとも、これと通信接続する携帯情報端末を表示装置や通信制御部４として機能させる構成なども含むものとする。即ち、通常の電話装置に、情報提供サイトからの情報を取得することができる構成を付加したものであればよい。
【００３８】
【発明の効果】
以上のように、この発明の電話装置によれば、通信ネットワーク上の情報提供サイトの通信アドレス情報をこれに関連する所定の電話番号に対応付けて格納するサイト情報記憶手段と、通話処理の終了後に、該通話に使用した電話番号がサイト情報記憶手段に格納された電話番号と一致するか否かを判定する判定手段と、判定手段によって両電話番号が一致すると判定されると、該電話番号に関連する情報提供サイトの通信アドレス情報を読み出して通信接続するアクセス手段とを備えるので、ユーザにとって必要な情報を迅速に提供する電話装置を得ることができるという効果がある。
【００３９】
また、通話処理が終了するのを待って、情報提供サイトに対する通信接続を起動するようにしたことから、例えば通話処理と情報提供サイトに対する通信接続処理とを同時に行うために必要な高度なソフトウェア（例えば、インターネット電話ソフトウェアなど）を必要とせず、本願発明を既存の電話装置（特に、携帯性などの問題から大がかりなハードウェア資源を追加することができない携帯電話など）に適用する際に要するソフトウェアやハードウェア資源の増加を抑制することができるという効果がある。
【００４０】
さらに、通話処理が終了するのを待って、情報提供サイトに対する通信接続を起動することから、ユーザは通常の通話処理の延長として容易に本願発明によるサービスを受けることができ、情報収集における利便性を向上させることができるという効果がある。
【００４１】
この発明の電話装置によれば、判定手段によって電話番号が一致すると判定されると、サイト情報記憶手段から読み出した電話番号、該電話番号に関連する情報提供サイト名、及び該サイトの通信アドレス情報を含むサイトメニューを作成・表示するメニュー作成・表示手段を備え、アクセス手段がサイトメニューに従って選択された情報提供サイトの通信アドレスに通信接続するので、ユーザにとって必要な情報を迅速に提供することができるとともに、ユーザによる情報提供サイトの選択の自由度を向上させることができ、よりユーザの希望に合致した情報の提供をする電話装置を得ることができるという効果がある。
【００４２】
この発明の電話装置によれば、通話処理に使用する操作キーを含む設定入力手段を介して外部からサイト情報記憶手段の記憶内容を変更するサイト情報変更手段を備えるので、ユーザの個別な要求に応じた情報を提供する情報提供サイトを設定することができ、情報提供サイトの選択における自由度を向上させた電話装置を得ることができるという効果がある。
【００４３】
この発明の情報提供サイト接続システムによれば、上記電話装置と、通信ネットワークを介して電話装置との間で情報を送受する通信手段を有したサーバ装置とからなるシステムであって、サーバ装置が、通信ネットワーク上の情報提供サイトに通信接続して電話番号と該電話番号に関連する情報提供サイトの通信アドレス情報とからなるサイト情報を生成するとともに、電話装置から更新要求があると通信ネットワークを介してサイト情報を送信し、サイト情報記憶手段の内容を更新するサイト情報更新手段を備えるので、サイト情報が増減した場合や電話番号と対応する情報提供サイトの通信アドレスが変更された場合でも、ユーザに対して最新の情報を提供することができるという効果がある。
【００４４】
この発明の情報提供サイト接続システムによれば、電話装置が、外部から設定された所定の期間ごとにサーバ装置に通信接続して更新要求を送信する定期更新手段を備えるので、ユーザがサイト情報の更新を取り立てて意識することなく、自動的に最新のサイト情報に更新することができるという効果がある。
【００４５】
この発明の情報提供サイト接続方法によれば、通信ネットワーク上の情報提供サイトの通信アドレス情報をこれに関連する所定の電話番号に対応付けて格納するサイト情報記憶手段を有する電話装置の情報提供サイト接続方法であって、通話処理の終了後に、該通話に使用した電話番号がサイト情報記憶手段に格納された電話番号と一致するか否かを判定する判定ステップと、判定ステップにて両電話番号が一致すると判定されると、該電話番号に関連する情報提供サイトの通信アドレス情報を読み出して通信接続するアクセスステップとを備えるので、ユーザにとって必要な情報を迅速に提供することができるという効果がある。
【００４６】
この発明の情報提供サイト接続方法によれば、判定ステップにて電話番号が一致すると判定されると、サイト情報記憶手段から読み出した電話番号、該電話番号に関連する情報提供サイト名、及び該サイトの通信アドレス情報を含むサイトメニューを作成・表示するメニュー作成・表示ステップを備え、アクセスステップにて、メニュー作成・表示ステップで表示したサイトメニューに従って選択された情報提供サイトの通信アドレスに通信接続するので、ユーザにとって必要な情報を迅速に提供することができるとともに、ユーザによる情報提供サイトの選択の自由度を向上させることができ、よりユーザの希望に合致した情報の提供をすることができるという効果がある。
【図面の簡単な説明】
【図１】  この発明の実施の形態１による電話装置の構成を示す図である。
【図２】  この発明の実施の形態１による情報提供サイト接続システムの構成を概略的に示す図である。
【図３】  実施の形態１による電話装置の動作を示すフロー図である。
【図４】  実施の形態２による電話装置の動作を示すフロー図である。
【図５】  従来の電話装置を利用した情報提供サイト接続システムの構成を概略的に示す図である。
【符号の説明】
１  制御部（判定手段、アクセス手段、メニュー作成・表示手段、サイト情報変更手段、定期更新手段）、２  フラッシュメモリ（サイト情報記憶手段）、３ＲＡＭ、４  通信制御部（アクセス手段）、５  ユーザＩ／Ｆ（設定入力手段）、６  オーディオＩ／Ｆ、７  ビデオＩ／Ｆ（メニュー作成・表示手段）、８タイマ（定期更新手段）、９  データバス、１０ａ  電話機（電話装置）、１０ｂ  携帯電話端末（電話装置）、１１  基地局、１２  通信ネットワーク、１３  サーバ（サイト情報更新手段、サーバ装置）。
【図１】
0003699014.tif 000002
【図２】
0003699014.tif 000003
【図３】
0003699014.tif 000004
【図４】
0003699014.tif 000005
【図５】
0003699014.tif 000006